(57)【要約】【課題】イベント全体を複数の静止画像の再生により短時間で時系列に観賞できるとともに、静止画像の切換に際しても音楽を中断することなく視聴が可能なイベント記録媒体を得る。【解決手段】披露宴等のイベントを複数のステージに分割し、各ステージを複数の静止画像から構成して記録するとともに、前記ステージのうちの少なくとも一つのステージに対応させた音楽を音源から直接記録するイベント記録媒体であって、前記静止画像は、ディジタルカメラで連続して撮影した画像から選択して記録し、各ステージ内において前記静止画像を自動若しくは手動操作で順次再生可能とするとともに、ステージ内において前記音楽が各静止画像の順次再生で中断することなく連続して再生可能なプログラムを格納して成り、音楽を対応させたステージにおいて、第１番目及び最終の静止画像を曲名が表示されたタイトル画面として挿入する。【選択図】  図１
2005020207.tif 000002
【特許請求の範囲】
【請求項１】
一連のイベントを複数のステージに分割し、各ステージを複数の静止画像から構成して記録するとともに、前記ステージのうちの少なくとも一つのステージに対応させた音楽（ＢＧＭ）を音源から直接記録するイベント記録媒体であって、
前記静止画像は、ディジタルカメラで連続して撮影した画像から選択して記録し、
各ステージ内において前記静止画像を自動若しくは手動操作で順次再生可能とするとともに、ステージ内において前記音楽が各静止画像の順次再生で中断することなく連続して再生可能なプログラムが格納された
ことを特徴とするイベント記録媒体。
【請求項２】
音楽を対応させたステージにおいて、第１番目及び最終の静止画像として前記ＢＧＭの曲名を表示したタイトル画面を挿入した請求項１に記載のイベント記録媒体。
【請求項３】
一連のイベントが結婚式における挙式又は披露宴であり、各ステージに対応させて記録する音楽が実際に結婚式で使用された曲と同じ曲を記録するものである請求項１に記載のイベント記録媒体。
【請求項４】
順次スライドとして再生するために複数の静止画像を記録媒体に記録する静止画像記録方法であって、
前記静止画像群の前に前段タイトル画面を、静止画像群の後に後段タイトル画面をそれぞれ挿入し、
該前段タイトル画面にこの前段タイトル画面から後段タイトル画面が表示している間に再生される音楽を貼り付ける
ことを特徴とする静止画像記録方法。
【発明の詳細な説明】
【０００１】
【発明の属する技術分野】
本発明は、結婚式等のイベントを画像情報として残すためのイベント記録媒体に関し、特に、画像及び音楽が記録されたＣＤ記録媒体から構成されるイベント記録媒体及びＣＤ記録媒体への静止画像の記録方法に関する。
【０００２】
【従来の技術】
従来、例えば結婚式や披露宴を画像として記録に残す場合、ビデオ撮影により記録することが一般的に行われている。これは、現場で画像及び音声をビデオによりテープその他の記録媒体に記録し、画像を取捨して編集することで再生時間が１時間乃至２時間のテープを製作していた。
【０００３】
【発明が解決しようとする課題】
しかしながら、上述のビデオによる記録の場合、会場での音声・音楽が動画とともに録画されるので臨場感があるものの、観賞するのに時間がかかるという欠点があった。
【０００４】
また、進行状態がそのまま会場の音声及び音楽とともに録画されるので、音質が良好でなく、音楽鑑賞用としては適していない。
【０００５】
更に、新婦が両親に対して手紙を朗読する場面等、本人たちにとって照れくさい場面も存在し、観賞する機会が少なくなってしまう（ほとんど見なくなる）現状が存在する。
【０００６】
また、静止画像等を記録媒体に記録する方法としては、旅行者が収集した写真や音声、映像等の素材を地図等が描かれた電子的な台紙（電子アルバム）に記録する電子アルバム作成方法が提案されているが、時系列的に画像を再生するものでなく、一連のイベントを記録するツールとしては適していない（例えば特許文献１参照）。
【０００７】
【特許文献１】
特開２００１−１６７１１５
【０００８】
本発明は上記実情に鑑みてなされたものであり、イベント全体を短時間で時系列に観賞できるとともに、音楽の視聴をメインとした画像再生を可能にすることで観賞する機会を増加させることができるイベント記録媒体及び静止画像の記録方法を提供することを目的としている。
【０００９】
【課題を解決するための手段】
上記目的を達成するため請求項１は、一連のイベントを複数のステージに分割し、各ステージを複数の静止画像から構成して記録するとともに、前記ステージのうちの少なくとも一つのステージに対応させた音楽を音源から直接記録するイベント記録媒体であって、次の構成を含むことを特徴としている。
前記静止画像は、ディジタルカメラで連続して撮影した画像から選択して記録する。
各ステージ内において前記静止画像を自動若しくは手動操作で順次再生可能とするとともに、ステージ内において前記音楽が各静止画像の順次再生で中断することなく連続して再生可能なプログラムが格納されている。
【００１０】
請求項２は、請求項１に記載のイベント記録媒体において、音楽を対応させたステージにおいて、第１番目及び最終の静止画像を前記ＢＧＭの曲名を表示したタイトル画面を挿入したことを特徴としている。
【００１１】
請求項３は、請求項１のイベント記録媒体において、一連のイベントが結婚式における挙式又は披露宴であり、各ステージに対応させて記録する音楽が実際に結婚式で使用された曲と同じ曲を記録するものであることを特徴としている。
【００１２】
請求項４は、順次スライドとして再生するために複数の静止画像を記録媒体に記録する静止画像記録方法であって、以下の内容を含むことを特徴としている。
前記静止画像群の前に前段タイトル画面を、静止画像群の後に後段タイトル画面をそれぞれ挿入する。
該前段タイトル画面にこの前段タイトル画面から後段タイトル画面が表示している間に再生される音楽を貼り付ける。
【００１３】
本発明によれば、複数のステージはそれぞれ複数の静止画像から構成され、ステージに対応させた音楽とともに、前記静止画像は自動的に一定時間毎に順次再生されるので、イベント全体を短時間で時系列に観賞することができる。
【００１４】
静止画像は、ディジタルカメラで連続して撮影した画像から選択して記憶するので、画像をコマ送り的に再生することができ、動画的に観賞することができる。
【００１５】
また、各ステージ内においては、再生される音楽が中断されることなく、自動再生若しくは手動操作で静止画像をコマ送りに順次再生することができる。
【００１６】
各ステージに対応させた音楽は音源から直接記録するので、クリヤーな音質とすることができ、音楽の視聴をメインとした画像の再生を行うことができる。
【００１７】
【発明の実施の形態】
本発明の実施の形態の一例としてのイベント記録媒体について、図１乃至図を参照しながら説明する。図１は、イベント記録媒体に記録される各静止画像のモデル図である。
このイベント記録媒体は、例えば結婚式等のイベントについての画像をＣＤ記録媒体に記録するもので、パソコン上においてディジタルカメラで撮影された画像について、汎用ソフトを使用して編集し記録することで作製される。
【００１８】
イベント記録媒体の製作の仕方について、結婚式を例にとって説明する。
一連のイベントである結婚式（挙式、披露宴）には、神社や教会で行われる挙式、ホテル宴会場で行われる披露宴での新郎新婦入場、ケーキカット、キャンドルサーバス、余興等の各場面が存在する。これらの場面をステージと名づけ、イベント記録媒体の作製に先立ち、各ステージをディジタルカメラで連続的に撮影しておく。
【００１９】
ＣＤ記録媒体に記録する複数種類の音楽については、各音楽ＣＤからパソコンのハードディスクに名前を付けて保存しておく。この音楽は、披露宴の各ステージで実際に使用した音楽がある場合には、その音楽を音楽ＣＤから保存しておく。
また、効果音として使用するシャッター音，鐘の音，拍手の音等についても音源からハードディスクに保存しておく。
【００２０】
次に、パソコンを使用してＣＤ記録媒体に画像及び音楽を記録する手順について説明する。
ここで使用するパソコンは、ディスプレイ，キーボード等の入力手段，ハードディスク，ＣＰＵ，ＣＤドライブ，データ入力用端子を備えた一般的なものである。このパソコンには、マイクロソフト社製のパワーポイント（商品名）等、静止画像を取り込むための画像編集用のソフトが格納されている。
【００２１】
先ず、ディジタルカメラで撮影した画像を専用の記録媒体に保存し、アダプタを介して前記記録媒体をパソコンの入力用端子に接続し、ハードディスク内に画像情報を記録する。パソコンへの画像情報の取り込みは、パソコンの映像入力端子にディジタルカメラを接続することで行うこともできる。
この画像情報から各ステージを構成する静止画像として記録する複数画像を選択し、縮小などの加工や切り取りなどの編集作業を行った後に、ハードディスク内に名前をつけて保存しておく。画像の縮小は、パソコン上でデータが重くなるのを防止するために行われるもので、画像が粗くならないように縮小の割合を調整することで、きれいな画像を保っている。
【００２２】
前記複数画像は、図１に示されるように、受付の様子、新郎新婦入場、ケーキ入刀、会場での家族，友人，同僚の様子、お色直し導入場面、キャンドルサービス、披露宴の様子（１），友人達の歌のプレゼント，披露宴の様子（２）、新婦の手紙、新郎の挨拶、エンディング等の各ステージに対応するそれぞれ複数の静止画像から構成されている。
また、新郎新婦入場やキャンドルサービス等、動きのあるステージにおける画像を編集する場合には、コマ送り的に画像が再生できるように、例えば３秒に１枚の割合で静止画像として記録しておく。
【００２３】
次に、前記した画像編集用ソフトであるパワーポイント（商品名）をパソコン上で立ち上げ、書き込みを行うＣＤ記録媒体をＣＤドライブにセットし、各静止画像を白紙のスライドに挿入することで記録を行う。
【００２４】
画像編集用のソフトとして利用するパワーポイント（商品名）は、画像，表，グラフ等をマウス等の入力手段でクリックを行うことで、手動操作により順次スライドとして見せるもので、任意のスライドに音楽，音声，動画を挿入したり、個別にスライドの再生時間を設定することができるものである。
【００２５】
先ず、イベント内容，日時，場所等が表示されたタイトル画面（オープニングタイトル）１を作製し、表紙スライドとして挿入する。このタイトル画面１の字体は、所望のフォントを使用して作成するが、このフォント再生に関するソフトもＣＤ記録媒体側に格納しておく。以下、タイトル，題名，スライドに挿入される文字についてのフォントの取扱いも同様である。
【００２６】
次に、受付の様子２を第１ステージとして設定し、披露宴会場の外観、会場内部、受付場面、来賓控え室等の例えば２０枚の静止画像をスライドとして挿入する。
第１ステージ（受付の様子）における各静止画像（スライド）は、再生される場合に、パソコン上でクリックする手動操作により、次スライドが再生されるように設定され、このプログラムはＣＤ記録媒体側に格納される。
また、各スライドについては、効果音としてのシャッター音（既に保存済）をハードディスクから呼び出して貼り付けておく。
【００２７】
第２ステージは新郎新婦入場３の場面に設定されている。第２ステージにおいては、音楽（ＢＧＭ）の題名を表示した前段タイトル画面３１を作製し、第１番目のスライドとして挿入する。この第１番目の前段タイトル画面３１には、ＢＧＭとしてハードディスクから呼び出された音楽を貼り付ける。この音楽は実際の披露宴の新郎新婦入場時に使用した音楽を使用する。前段タイトル画面３１の次には画面を表わすタイトル「新郎新婦入場」が表示されたタイトル画面３２を挿入する。
【００２８】
タイトル画面３２に引き続いて、新郎新婦が会場に入場する場面か着席するまでの間の静止画像３２（例えば３０枚）をスライドとして挿入する。第２ステージの最終スライドとしては、音楽（ＢＧＭ）の題名を表示した後段タイトル画面３４を挿入する。
【００２９】
そして、第１番目のスライド（前段タイトル画面３１）では、第２ステージの最終スライドである後段タイトル画面３４まで（前段タイトル画面＋タイトル画面＋静止画面３０枚＋後段タイトル画面の合計３３枚分）、ＢＧＭの音楽が連続して再生し続けるよう設定する。また、各スライド（３０枚）については、それぞれ２〜５秒の再生時間を設定する。
自動再生及びクリック操作で後段タイトル画面３４が表示されるまで音楽再生が続けられ、後段タイトル画面３４において再度クリックした場合に初めて次のステージへと進行するように設定する。後段タイトル画面３４で音楽再生中の場合には、この状態でクリックすると音楽が中断され、次のステージへ進行する。
【００３０】
また、第２ステージ（新郎新婦入場３）では、２〜５秒の設定時間毎に次々と自動的にスライドが再生されるように設定するとともに、クリックすることで手動操作により次スライドが再生されるように設定し、このプログラムはＣＤ記録媒体側に格納される。自動再生を行っている場合には、図２に示すように、各スライドの端に自動再生３５の文字を貼り付ける処理が行なわれる。
【００３１】
続いて、第３ステージ（ケーキ入刀４），第４ステージ（当日の料理の紹介５），第５ステージ（会場での家族，友人，同僚の様子６）、第６ステージ（お色直し導入場面７）、第７ステージ（キャンドルサービス８），第８ステージ（披露宴の様子９），第９ステージ（友人達の歌のプレゼント１０），第１０ステージ（披露宴の様子１１），第１１ステージ（新婦の手紙１２），第１２ステージ（新郎の挨拶１３），ステージ１３（エンディング１４）について、同様の要領で複数静止画像をスライドとして挿入する。
各スライドに挿入する効果音は、必要に応じて、シャッター音，拍手の音，等から選択して挿入する。
【００３２】
また、第７ステージ（キャンドルサービル８），第９ステージ（友人達の歌のプレゼント１０），第１１ステージ（新婦の手紙１２），第１２ステージ（新郎の挨拶１３）では、第２ステージ（新郎新婦入場３）と同様に、複数の静止画像８２，１０２，１２３，１３２をスライドとして挿入及び前段タイトル画面８１，１０１，１２１，１３１への音楽の挿入及び設定が行なわれ、後段タイトル画面８３，１０３，１２４，１３３でクリックがされるまでＢＧＭが再生される。このＢＧＭは、実際に使用された曲と同じ曲（第９ステージでは歌われた曲と同じ曲）が使用されている。第１１ステージ（新婦の手紙１２）のタイトル画面１２２は、第２ステージ（新郎新婦入場３）のタイトル画面３２と同種のもので、タイトルとして「新婦の手紙」を表示させた画像である。
【００３３】
第４ステージ（当日の料理紹介５）は、当日のフルコース料理を各静止画面で順次紹介するものである。当日の料理を記録することで、より思い出深いものにすることができる。また、第３ステージ（ケーキ入刀４）においても、当日使用したウェディングケーキを単独の静止画面として使用してもよい。
更に、第１０ステージの披露宴の様子１１中でのスピーチ部分では、図３に示すように、スピーチ者の画像１１とともに、そのスピーチを聞いている状態の新郎新婦の画像１２をスライド内に貼り付け処理することもできる。
各ステージで使用する静止画面は一連のイベントの進行状態に沿ったものであるが、例えば、どういうスタッフの人で運営・演出されていたかを記録するため、スタッフスナップのステージを設け、司会・宴会キャプテン・支配人・メイクさん・カメラマン・ウエイター・ウエイトレス・クロークなどのスタッフを紹介するステージを設けても良い。新郎新婦とスタッフの方々との集合写真を静止画面として使用してもよい。
【００３４】
次に、上述した手順で作製されたＣＤ記録媒体を再生する場合について、図４及び図５を参照しながら説明する。
このＣＤ記録媒体には画像及び音楽の再生に伴うソフトが格納されているので、ディスプレイ，キーボード等の入力手段，ハードディスク，ＣＰＵ，ＣＤドライブ，印字手段を備えたパソコンであれば、特別なソフトを必要とすることなく画像及び音楽を再生することができる。
また、ＣＤドライブでＣＤ記録媒体を直接読み込むことで再生できるが、ディスクトップ画面にコピーすることで、以後は、ディスクトップに表示されたアイコンをダブルクリックすることで再生させることができる。
【００３５】
再生を行った場合、先ず、イベント内容，日時，場所等が表示されたタイトル画面（オープニングタイトル）１が表示される（図４）。この状態でクリックを繰り返すことで第１ステージ１内のスライド（受付の様子２ａ，２ｂ，２ｃ…）がシャッター音ともに順次再生される。第１ステージ（受付の様子２）のスライドを順次再生させることで、アルバムをめくる間隔で静止画像を見ることができる。また、クリック操作で次の静止画像が再生されるので、見るスピードも自在に調整することができる。
また、各静止画面は、表示されている状態で印刷の実行を行うことで、プリントアウトすることができる。
【００３６】
クリック操作を続けると第１ステージの静止画像が終了し、第２ステージの前段タイトル画面３１が表示される（図４及び図５）。そして、この画面３１の表示とともに前段タイトル画面３１に貼り付けられた音楽が再生される（図５）。第２ステージではスライドを順次自動再生するように設定を行っているので、所望時間が経過すると次のスライド３２，３３ａ，３３ｂ，３３ｃ…が再生されるが、音楽については前段タイトル画面３１に貼り付けられた音楽が再生し続けられる。前段タイトル画面３１には、音楽のタイトルが表示されるとともに自動再生３５の文字が表示され、また、各スライドにおいても自動再生３５の文字が表示される（図２）。
以下、同様の操作により各ステージの静止画像を観賞することができる。
【００３７】
各ステージにおいては、自動再生中であっても、クリックすることで次スライドの再生を行うことができる。自動再生又はクリック操作で後段タイトル画面３４，８３，１０３，１２４，１３３が表示されると、そのステージの静止画像を全部見終わったことを認識できる。この状態で音楽は再生し続けられているので、音楽のみを続けて視聴したい場合にはこの状態を維持すればよい。したがって、音楽を続けて聴きたい場合に、誤ってクリックを行うことで音楽が終了することを防止することができる。
そして、後段タイトル画面３４，８３，１０３，１２４，１３３において再度クリックした場合に初めて次のステージへと進行する。
【００３８】
ステージに挿入された音楽は、実際の披露宴で使用された曲をＣＤ音源から記録するようにしたので、思い出が深い曲をクリアな音質で聞くことができる。また、音楽の再生はスライドの再生にリンクしていないので、スライドの再生操作にかかわらず音楽を最後まで聞くことができる。
【００３９】
第２ステージ（新郎新婦入場３）や第７ステージ（キャンドルサービス８）のように、被写体に動きがあるような場合でも、コマ送り風に静止画像を再生できることから、動画的に観賞することができる。
【００４０】
上述のＣＤ記録媒体による静止画像の再生では、例えば披露宴全体についての２５０〜３００枚程度の静止画像を１５〜２０分で観賞することができ、従来のビデオ再生に比較して短時間で観賞することが可能となる。
また、ＣＤ記録媒体１枚に静止画像及び音楽を記録できるので、写真で保存する場合に比べて収納スペースを格段に少なくすることができる。
また、上述の例では静止画像及び音楽を記録したＣＤ記録媒体としたが、静止画像や音楽を電子的に再生可能に記録できるものであれば、他の記録媒体を使用してもよい。
【００４１】
上述の例ではイベントとして披露宴を例に説明したが、運動会や各種発表会の様子を音楽とともに記録したものでも良く、また、子供の成長記録を流行した音楽とともに記録したり、旅行で映した画像を好みの音楽とともに記録したものにも適用できる。
【００４２】
【発明の効果】
本発明によれば、複数のステージはそれぞれ複数の静止画像から構成され、ステージに対応させた音楽とともに、前記静止画像は自動的に一定時間毎若しくは手動操作で順次再生されるので、イベント全体を短時間で時系列に観賞することができるとともに、各ステージ内においては、クリアな音質で再生される音楽が中断されることなく、静止画像をコマ送りに順次再生することができるので、音楽の視聴をメインとした画像の再生を行うことができ、観賞の機会を増加させることができる。
【図面の簡単な説明】
【図１】本発明のイベント記録媒体に記録する静止画像を説明するためのモデル図である。
【図２】本発明のイベント記録媒体で再生される静止画像の一例を示す画面説明である。
【図３】本発明のイベント記録媒体で再生される静止画像の一例を示す画面説明である。
【図４】本発明のイベント記録媒体で再生される第１ステージでの静止画像を時系列に説明するための画面説明図である。
【図５】本発明のイベント記録媒体で再生される第２ステージでの静止画像を時系列に説明するための画面説明図である。
【符号の説明】
２…第１ステージ（受付の様子）、
３…第２ステージ（新郎新婦入場）、
８…第７ステージ（キャンドルサービス）、
１０…第９ステージ（友人達の歌のプレゼント）、
１１…第１０ステージ（新婦の手紙）、
１２…第１１ステージ（新郎の挨拶）、
３１…前段タイトル画面、    ３４…後段タイトル画面、
８１…前段タイトル画面、    ８３…後段タイトル画面、
１０１…前段タイトル画面、  １０３…後段タイトル画面、
１２１…前段タイトル画面、  １２４…後段タイトル画面、
１３１…前段タイトル画面、  １３３…後段タイトル画面、
【図１】
2005020207.tif 000003
【図２】
2005020207.tif 000004
【図３】
2005020207.tif 000005
【図４】
2005020207.tif 000006
【図５】
2005020207.tif 000007